(57)【特許請求の範囲】
【請求項１】
周面のスカム流入口が水面上方位置と水面位置とにわたり移動するように回動自在に設けられるパイプスキマーと、
一端が前記パイプスキマー側に位置し、前記スカム流入口が水面上方位置にあるとき他端が水没し、前記スカム流入口が水面位置となったとき前記他端が水面から持ち上がってスカムを前記スカム流入口に流すように揺動自在に設けられるスカムパンと、
を備えたスカム除去装置であって、
前記スカムパンの一端を前記パイプスキマーの外周面に回動自在に連結し、
前記スカムパンを、槽内に設けたパン支持部に摺動可能に載置して、このパン支持部の上端を揺動支点として揺動させることを特徴とするスカム除去装置。
【発明の詳細な説明】
【技術分野】
【０００１】
本発明は、下水処理場の最終沈殿池などに設けられ、水面に浮遊するスカムを除去するスカム除去装置に関するものである。
【背景技術】
【０００２】
下水処理場などで多く採用されているスカム除去装置としてパイプスキマー方式が挙げられ、一般には、フライト式汚泥掻寄機の水面上のリターンフライトを利用してスカムをパイプスキマーまで掻き寄せ、パイプスキマーの周面に形成されたスカム流入口により水とともにパイプ内に越流させて槽外に排出する構造であり、その一従来例が特許文献１に記載されている。
【０００３】
同文献は、リターンフライトにより移送されてきたスカムをパイプスキマーまで誘導するスカムパンを備え、このスカムパンとパイプスキマーとをワイヤロープにより連動させる技術に関する。ワイヤロープの一端はパイプスキマーに巻き付けられ、他端はシーブ車を経由してスカムパンの上流端側に取り付けられた構造であり、パイプスキマーのスカム流入口が水面方向に移動すると、ワイヤロープの巻き付け作用によりスカムパンの上流端側が水面から持ち上がり、スカムがスカム流入口に向けて流れる。
【特許文献１】実開平２−１２１１８０号公報
【発明の開示】
【発明が解決しようとする課題】
【０００４】
特許文献１の構造では、パイプスキマーとスカムパンとをワイヤロープにより連結した構造であり、パイプスキマーとスカムパンとの間には大きな隙間が形成されているため、スカムパンで捕集した原水とは別にこの隙間を介して原水が下方からスカム流入口に流れ込んでしまう。
【０００５】
パイプスキマーで採取したスカムおよび原水は槽外に排出されて次の水処理工程へ送られるため、前記隙間から原水が流れ込むことは次の水処理工程に余分な負荷を与えてしまうことになる。
【０００６】
本発明は、以上のような問題を解決するために創作されたものであり、スカムパンで捕集したスカムおよび水面近くの原水のみをパイプスキマーに流すことができるスカム除去装置を提供することを目的としている。
【課題を解決するための手段】
【０００７】
本発明は、前記課題を解決するため、周面のスカム流入口が水面上方位置と水面位置とにわたり移動するように回動自在に設けられるパイプスキマーと、一端が前記パイプスキマー側に位置し、前記スカム流入口が水面上方位置にあるとき他端が水没し、前記スカム流入口が水面位置となったとき前記他端が水面から持ち上がってスカムを前記スカム流入口に流すように揺動自在に設けられるスカムパンと、を備えたスカム除去装置であって、前記スカムパンの一端を前記パイプスキマーの外周面に回動自在に連結し、前記スカムパンを、槽内に設けたパン支持部に摺動可能に載置して、このパン支持部の上端を揺動支点として揺動させることを特徴とする。
【０００８】
このスカム除去装置によれば、スカムパンの一端をパイプスキマーの外周面に回動自在に連結したので、パイプスキマーとスカムパンとの間には隙間が殆ど生じず、したがって、スカムパンの他端が持ち上がることによって捕集したスカムおよび水面近くの原水のみをスカム流入口からパイプスキマーの内部に流すことができる。これにより、槽外への定量排出が可能となり、下水処理場などでは次の水処理工程での負荷が軽減される。
【００１０】
そしてこのスカム除去装置によれば、パイプスキマーとスカムパンとの連結部の回動に合わせて、スカムパンがパン支持部の上端で摺動しながら揺動するため、簡易な構造でスカムパンの揺動を達成できる。組み付けも簡便であり、既存のパイプスキマー設備にも容易に適用できる。
【発明の効果】
【００１１】
本発明によれば、槽外へのスカムおよび原水の定量排出が可能となり、下水処理場などでは次の水処理工程での負荷が軽減される。
また、簡易な構造であるため、既存のパイプスキマー設備に容易に適用できる。
【発明を実施するための最良の形態】
【００１２】
発明の実施の形態について図面を参照して説明する。図１および図２は本発明に係るスカム除去装置の側面説明図であり、図１はスカム流入口が水面上方位置にある状態、図２はスカム流入口が水面位置にある状態を示している。なお、スカムをパイプスキマーに向けて移送する手段については、例えばフライト式汚泥掻寄機のリターンフライトを用いるなど本発明では特に限定されるものではなく、図示は省略している。
【００１３】
本発明に係るスカム除去装置１は、例えば下水処理場の沈殿池などの処理槽に設置されるものであって、周面のスカム流入口２が図１に示す水面上方位置と図２に示す水面位置とにわたり移動するように回動自在に設けられるパイプスキマー３と、一端（下流側端部）がパイプスキマー３側に位置し、スカム流入口２が水面上方位置にあるとき図１に示すように他端（上流側端部）が水没し、スカム流入口２が水面位置となったとき図２に示すように他端（上流側端部）が水面から持ち上がってスカムをスカム流入口２に流すように揺動自在に設けられるスカムパン４と、を備える。スカム流入口２は、パイプスキマー３の軸方向に長手の矩形開口部として形成される。一般にその開口幅寸法（図１における紙面奥−手前方向の寸法）は処理槽の幅寸法よりも小さい寸法である。
【００１４】
パイプスキマー３の外周面には、例えば長孔５Ａを有するブラケット５が固設される。槽の上部、例えば躯体天井部Ｒには昇降機７が設置され、垂下された昇降バー６の下端のピン６Ａが前記長孔５Ａに係合している。これにより、昇降バー６の昇降動作によってパイプスキマー３が水平軸Ｘを中心として回動する。
【００１５】
スカムパン４はその一端がパイプスキマー３の外周面に回動自在に連結される。図１および図２では連結構造として汎用の蝶番９を用いた態様を示しており、一方の羽根面がスカムパン４の一端の縁部に固定され、他方の羽根面はパイプスキマー３の曲面からなる外周面に対し取付座８を介してパイプスキマー３に固定される。取付座８はパイプスキマー３に溶接などにより固着されるほか、例えば蝶番９用の固定ねじにより共締めとしてパイプスキマー３に固定される。取付座８は、パイプスキマー３の外周面とスカムパン４の一端との間に隙間が生じないように、例えばパイプスキマー３の軸方向に延設される部材として構成される。
【００１６】
スカムパン４は、平面視矩形の平板状部材であり、鋼板などから構成される。図示したものは一端および他端が上方に向けて屈曲形成されている。スカムパン４の各側縁部（図１における紙面奥−手前方向の各縁部）には、横方向からの原水の流出入を防ぐための側板４Ａが立ち上がり形成されている。側板４Ａの下流端縁は、パイプスキマー３の外径とほぼ同じ曲率半径を有する凹状の円弧面４Ｂとして立ち上がり形成されている。また、スカムパン４の中程の底面はパン支持部１１に摺動可能に載置される。図では、局所的に水面近辺まで底上げ形成された躯体底部Ｗにパン支持部１１を突設した場合を示しているが、パン支持部１１の形成態様はこれに限定されず、沈殿池などの槽の一方の側壁から他方の側壁にわたりパン支持部１１を掛け渡すように形成することもできる。
【００１７】
本発明の作用を説明すると、図１に示すようにパイプスキマー３のスカム流入口２が水面上方位置にあるときには、スカムパン４はそのほぼ全体が水没した状態となってパン支持部１１に載置されている。水面上では、図示しないスカム移送手段、例えばフライト式汚泥掻寄機のリターンフライトなどによりスカムがスカムパン４の上方まで移送される。
【００１８】
そして、昇降機７が駆動して昇降バー６が上昇し、パイプスキマー３が回動すると、このパイプスキマー３に固定された蝶番９も水平軸Ｘ回りに回動し、図２に示すようにスカム流入口２が水面位置に達したときには、パン支持部１１の上端を揺動支点１２として、スカムパン４の一端が下降し、他端は水面から持ち上がった状態となる。凹状の円弧面４Ｂがスカム流入口２の両脇（図２における紙面奥−手前方向の両脇を指す）においてパイプスキマー３の外周面とほぼ接面し、横方向からの原水の流出入は側板４Ａにより規制される。これにより、スカムパン４によって捕集されたスカムおよび水面近くの原水がスカム流入口２からパイプスキマー３の内部に流れ、槽外に排出されて例えば次の水処理工程に送られる。
【００１９】
パイプスキマー３の回動途中においては、スカムパン４は、パイプスキマー３に対して蝶番９の連結軸１０回りに相対的に回動する。その際、連結軸１０とパン支持部１１との距離が変化するので、その逃げとしてスカムパン４はパン支持部１１の上端で摺動しながら揺動する。
【００２０】
本発明によれば、スカムパン４の一端をパイプスキマー３の外周面に回動自在に連結したので、パイプスキマー３とスカムパン４との間には隙間が殆ど生じず、したがって、スカムパン４の他端が持ち上がることによって捕集したスカムおよび水面近くの原水のみをスカム流入口２からパイプスキマー３の内部に流すことができる。すなわち、槽外への定量排出が可能となり、次の水処理工程での負荷が軽減される。
【００２１】
また、スカムパン４を、槽内に設けたパン支持部１１に摺動可能に載置して、このパン支持部１１の上端を揺動支点１２として揺動させる構成とすれば、パイプスキマー３とスカムパン４との連結部となる連結軸１０の回動に合わせて、スカムパン４がパン支持部１１で摺動しながら揺動するため、簡易な構造でスカムパン４の揺動を達成できる。組み付けも簡便であり、既存のパイプスキマー設備にも容易に適用できる。
【００２２】
図３はスカム除去装置１の変形例を示す説明図であり、（ａ）は側面図、（ｂ）は（ａ）におけるＡ−Ａ断面図である。図１に示した構成要素と同じものについては同じ符号を付してその説明は省略する。なお、本変形例でも前記した側板４Ａが適宜に設けられるが、図３では省略している。図３の例では、図１に示した蝶番９を用いることなく、パイプスキマー３の外周面にブラケットを取り付け、このブラケットに形成した連結軸１０回りにスカムパン４の一端を回動自在に取り付けている。
【００２３】
図１では、スカムパン４の底部をパン支持部１１に摺動可能に載置した態様であったが、本変形例では、槽幅方向に延設した支持材１５上に、長孔１７を穿設した支持ブラケット１６を立設し、スカムパン４の底部に固設したブラケット１３のピン１４を長孔１７に係合させている。
【００２４】
この変形例では、連結軸１０の回動に合わせてピン１４が長孔１７内を移動することで、スカムパン４の揺動が達成される。パイプスキマー３とスカムパン４との間に隙間が殆ど生じず、スカムパン４によって捕集したスカムおよび水面近くの原水のみがスカム流入口２に流れる効果については図１に示したものと同様である。
【００２５】
以上、本発明の最良の実施形態を説明した。スカムパン４の一端をパイプスキマー３の外周面に回動自在に連結するにあたっては、蝶番９などの他に、強度が強く可撓性を有した箔状の化学繊維材料や合成樹脂材料などを用いることができる。これらをパイプスキマー３とスカムパン４との接触部の幅全体にわたり用いれば、パイプスキマー３とスカムパン４との連結部に生じる隙間が皆無となり、より一層の定量排出が可能となる。また、これらの部材と蝶番９とを併用してもよく、間隔的に配した蝶番９同士の間に生ずる僅かな隙間を箔状の化学繊維材料や合成樹脂材料などで埋めれば、隙間がほぼ皆無となる。
【００２６】
また、本発明は下水処理施設に限定されることなく、工業用の排水処理槽などにも適用可能である。
【図面の簡単な説明】
【００２７】
【図１】本発明に係るスカム除去装置の側面説明図であり、スカム流入口が水面上方位置にある状態を示す。
【図２】本発明に係るスカム除去装置の側面説明図であり、スカム流入口が水面位置にある状態を示す。
【図３】本発明に係るスカム除去装置の変形例を示す説明図であり、（ａ）は側面図、（ｂ）は（ａ）におけるＡ−Ａ断面図である。
【符号の説明】
【００２８】
１      スカム除去装置
２      スカム流入口
３      パイプスキマー
４      スカムパン
９      蝶番
１０      連結軸
１１      パン支持部
１２      揺動支点
【図１】
0005384035.tif 000002
【図２】
0005384035.tif 000003
【図３】
0005384035.tif 000004